Podtech/llm-jp-corpus-v4-ja_patent huggingface dataset:
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
開口がアレイ状に配置された基板と、
前記基板の第１面に設けられ、前記基板の厚み方向から見た平面視において前記開口と重なる位置に設けられた超音波トランスデューサー素子と、
前記基板の前記第１面とは反対側の前記基板の第２面に設けられた補強部材と、
前記開口を含む前記基板の内部空間および前記基板の外部空間を連通する通気経路と
を備えることを特徴とする超音波トランスデューサー素子チップ。
【請求項２】
請求項１に記載の超音波トランスデューサー素子チップにおいて、前記補強部材は、アレイ状に配置された前記開口の間の前記基板の仕切り壁部に少なくとも１カ所の接合域で接合されることを特徴とする超音波トランスデューサー素子チップ。
【請求項３】
請求項１または２に記載の超音波トランスデューサー素子チップにおいて、前記補強部材は、前記基板の前記第２面に重ねられる第１面を有し、前記通気経路は、前記補強部材の前記第１面に配置される溝部を含むことを特徴とする超音波トランスデューサー素子チップ。
【請求項４】
請求項１または２に記載の超音波トランスデューサー素子チップにおいて、前記通気経路は、前記基板の前記第２面に配置されて前記開口同士を連通する溝部を含むことを特徴とする超音波トランスデューサー素子チップ。
【請求項５】
請求項１または２に記載の超音波トランスデューサー素子チップにおいて、前記基板および前記補強部材の少なくとも一部は多孔質材で構成され、前記通気経路は当該多孔質材の孔を含むことを特徴とする超音波トランスデューサー素子チップ。
【請求項６】
請求項１〜５のいずれか１項に記載の超音波トランスデューサー素子チップと、前記超音波トランスデューサー素子チップを支持する筐体とを備えることを特徴とするプローブ。
【請求項７】
請求項６に記載のプローブと、前記プローブに接続されて、前記超音波トランスデューサー素子の出力を処理する処理回路とを備えることを特徴とする電子機器。
【請求項８】
請求項６に記載のプローブと、前記プローブに接続されて、前記超音波トランスデューサー素子の出力を処理し、画像を生成する処理回路と、前記画像を表示する表示装置とを備えることを特徴とする超音波診断装置。
【請求項９】
請求項１〜５のいずれか１項に記載の超音波トランスデューサー素子チップと、
前記超音波トランスデューサー素子チップを支持する筐体とを備え、
前記筐体がプローブ本体に着脱可能であることを特徴とするプローブヘッド。
【請求項１０】
第１面に振動膜を有し、前記第１面とは反対側の第２面に開口がアレイ状に設けられた基板と、
前記振動膜に設けられ、前記基板の厚み方向から見た平面視において前記開口と重なる超音波トランスデューサー素子と、
前記第２面に設けられ、前記平面視において前記開口を覆う補強部材と、
前記開口を含む前記基板の内部空間と前記基板の外部空間とを連通する通気経路とを備えることを特徴とする超音波トランスデューサー素子チップ。
【手続補正２】
【補正対象書類名】明細書
【補正対象項目名】００３１
【補正方法】変更
【補正の内容】
【００３１】
図５に示されるように、開口４５は第１方向Ｄ１に列を形成する。開口４５の輪郭形状の図心４５ｃは第１方向Ｄ１の１直線５６上で等ピッチに配置される。開口４５は１つの輪郭形状の複写で象られることから、同一形状の開口４５が一定のピッチで繰り返し配置される。開口４５の輪郭４５ａは例えば四角形に規定される。具体的には矩形に形成される。矩形の長辺は第１方向Ｄ１に合わせ込まれる。こうして開口４５は矩形の輪郭４５ａを有することから、仕切り壁５１は全長にわたって一定の壁厚みｔを有することができる。このとき、仕切り壁５１の接合域は長辺の中央位置を含む領域であればよい。特に、仕切り壁５１の接合域は長辺の全長を含む領域であればよい。仕切り壁５１は長辺の全長にわたって開口４５同士の間の全面で補強板５２に面接合されることができる。さらに、仕切り壁５１の接合域は四角形の各辺に少なくとも１カ所ずつ配置されることができる。仕切り壁５１の接合域は四角形を途切れなく囲むことができる。仕切り壁５１は四角形の全周にわたって開口４５同士の間の全面で補強板５２に面接合されることができる。
【手続補正３】
【補正対象書類名】明細書
【補正対象項目名】００３５
【補正方法】変更
【補正の内容】
【００３５】
送受信回路６２は規定数の切り替えスイッチ６４を備える。個々の切り替えスイッチ６４はそれぞれ個別に対応の信号線６３に接続される。送受信回路６２は個々の切り替えスイッチ６４ごとに送信経路６５および受信経路６６を備える。切り替えスイッチ６４には送信経路６５と受信経路６６とが並列に接続される。切り替えスイッチ６４はマルチプレクサー６１に選択的に送信経路６５または受信経路６６を接続する。送信経路６５にはパルサー６７が組み込まれる。パルサー６７は振動膜４３の共振周波数に応じた周波数でパルス信号を出力する。受信経路６６にはアンプ６８、ローパスフィルター（ＬＰＦ）６９およびアナログデジタル変換器（ＡＤＣ）７１が組み込まれる。個々の素子２３の検出信号は増幅されてデジタル信号に変換される。
【手続補正４】
【補正対象書類名】明細書
【補正対象項目名】００５３
【補正方法】変更
【補正の内容】
【００５３】
図１４に示されるように、素子チップ１７ａの製造方法では開口４５の形成に先立ってシリコンウエハー７８の裏面に溝８９が形成される。溝８９の形成にあたって例えばリソグラフィ技術が用いられることができる。シリコンウエハー７８の裏面には例えばレジスト膜９１が形成される。レジスト膜９１には溝８９のパターンが象られる。こうして溝８９が形成されると、レジスト膜９１は除去される。図１０と同様に、シリコンウエハー７８の裏面からアレイ状の開口４５が形成される。シリコンウエハー７８から個々の素子チップ１７ａが切り出されると、溝８９は溝８６を提供する。
【手続補正５】
【補正対象書類名】図面
【補正対象項目名】図５
【補正方法】変更
【補正の内容】
【図５】
2013208148.tif 000001
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
Ｘ線撮像装置であって、
Ｘ線源から被写体に照射されたＸ線を検出する検出器と、
前記検出器により検出されたＸ線から、前記被写体の位相コントラスト情報と、前記被写体の吸収コントラスト情報を分離して取得するための処理を行う処理手段とを有し、
前記処理手段は、前記位相コントラスト情報に重み付けを行い、該重み付けされた情報と前記吸収コントラスト情報とを足し合わせて合成画像情報を生成することを特徴とするＸ線撮像装置。
【請求項２】
前記処理手段は、前記位相コントラスト情報のＣＮＲの値に基づいて設定される重み付け係数を用いて前記重み付けを行うことを特徴とする請求項１に記載のＸ線撮像装置。
但し、ＣＮＲは次の（１）式で表され、Ｓ１を画像のシグナル、σ１を画像のノイズとする。
【数１】
2013208189.tif 000001
【請求項３】
前記処理手段は、重み付け係数を用いて前記重み付けを行い、前記重み付け係数が１より大きいことを特徴とする請求項１又は２に記載のＸ線撮像装置。
【請求項４】
前記重み付け係数は、前記位相コントラスト情報のＣＮＲと前記吸収コントラスト情報のＣＮＲよりも、前記合成画像情報のＣＮＲの方が高くなるように設定されることを特徴とする請求項２に記載のＸ線撮像装置。
【請求項５】
前記処理手段は、
前記ノイズを見積もる領域を設定する手段と、
前記シグナルを見積もる画像の関心領域を設定する手段と、
前記位相コントラスト情報に前記ノイズを見積もる領域と前記関心領域とを適用し、前記関心領域における前記位相コントラスト情報のＣＮＲを取得する手段と、
前記吸収コントラスト情報に前記ノイズを見積もる領域と前記関心領域とを適用し、前記関心領域における前記吸収コントラスト情報のＣＮＲを取得する手段と、
前記位相コントラスト情報のＣＮＲの値と、前記吸収コントラスト情報のＣＮＲの値とを比較し、その値が大きい方の画像情報を選択する手段と、
前記位相コントラスト情報への重み付け係数を変化させて複数の合成画像情報を生成し、前記複数の合成画像情報のそれぞれに前記ノイズを見積もる領域と前記関心領域とを適用し、前記複数の合成画像情報のそれぞれについて前記関心領域における前記合成画像情報のＣＮＲの値を求める手段と、
前記合成画像情報のＣＮＲの値が、前記位相コントラスト情報のＣＮＲの値と、前記吸収コントラスト情報のＣＮＲの値とのいずれよりも大きくなる重み付け係数の範囲を求める手段と、
該重み付け係数の範囲内の重み付け係数を用いて重み付けされた前記位相コントラスト情報と、前記吸収コントラスト情報とを足し合わせて生成された合成画像情報を画像表示手段へ送信する手段と、
を有することを特徴とする請求項４に記載のＸ線撮像方法。
【請求項６】
Ｘ線源から被写体に照射されたＸ線を検出する工程と、
前記検出器により検出されたＸ線から、前記被写体の位相コントラスト情報と、
前記被写体の吸収コントラスト情報を分離して取得するための処理を行う処理工程と、を有し、
前記処理工程は、前記位相コントラスト情報に重み付けを行い、該重み付けされた情報と前記吸収コントラスト情報とを足し合わせて合成画像情報を生成することを特徴とするＸ線撮像方法。
【請求項７】
前記処理工程は、前記位相コントラスト情報のＣＮＲの値に基づいて設定される重み付け係数を用いて前記重み付けを行うことを特徴とする請求項６に記載のＸ線撮像方法。
但し、ＣＮＲは次の（１）式で表され、Ｓ１を画像のシグナル、σ１を画像のノイズとする。
【数２】
2013208189.tif 000002
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
基板上に形成された凸状部を備えるグレーズ層と、前記凸状部の頂上部分に設けられた発熱部と、前記基板上に形成された断熱層と、を有し、前記発熱部に摺接させた状態で搬送される感熱紙に印刷を施すサーマルヘッドにおいて、
前記断熱層は、前記発熱部に対して、前記感熱紙の搬送方向の上流側と下流側から前記凸状部に接していることを特徴とするサーマルヘッド。
【請求項２】
請求項１において、
前記断熱層の上面は、前記基板の表面と平行であることを特徴とするサーマルヘッド。
【請求項３】
請求項２において、
前記断熱層の上面の前記基板の表面からの高さ位置は、前記凸状部の上端以上、前記発
熱部の上端以下であることを特徴とするサーマルヘッド。
【請求項４】
請求項１ないし３のうちのいずれかの項において、
前記断熱層の硬度は、前記グレーズ層の硬度以上であることを特徴とするサーマルヘッ
ド。
【請求項５】
請求項１ないし４のうちのいずれかの項において、
前記基板上に形成された耐磨耗層を備え、
前記耐磨耗層は、前記発熱部を上方から被っていることを特徴とするサーマルヘッド。
【請求項６】
請求項１ないし５のうちのいずれかの項において、
前記基板は、シリコン基板であり、
前記凸状部は、前記シリコン基板の表面に形成されていることを特徴とするサーマルヘ
ッド。
【請求項７】
請求項１ないし６のうちのいずれかの項に記載のサーマルヘッドと、
前記サーマルヘッドによる印刷位置を経由する搬送路に沿って感熱紙を搬送する搬送機
構と、
前記印刷位置において前記感熱紙を前記サーマルヘッドに押し付ける付勢機構とを有す
ることを特徴とするサーマルプリンター。
【手続補正２】
【補正対象書類名】明細書
【補正対象項目名】０００８
【補正方法】変更
【補正の内容】
【０００８】
上記課題を解決するために、本発明は、
基板上に形成された凸状部を備えるグレーズ層と、前記凸状部の頂上部分に設けられた発熱部と、前記基板上に形成された断熱層と、を有し、前記発熱部に摺接させた状態で搬送される感熱紙に印刷を施すサーマルヘッドにおいて、
前記断熱層は、前記発熱部に対して、前記感熱紙の搬送方向の上流側と下流側から前記凸状部に接していることを特徴とする。
【手続補正３】
【補正対象書類名】明細書
【補正対象項目名】０００９
【補正方法】変更
【補正の内容】
【０００９】
本発明によれば、感熱紙の搬送方向における発熱部の両側、すなわち、グレーズ層の凸状部の搬送方向の上流側と下流側に断熱層が設けられる。従って、感熱紙をサーマルヘッドに押し付ける負荷を凸状部と断熱層の双方で受けることができる。この結果、感熱紙をサーマルヘッドに押し付ける負荷が凸状部の頂上部分に設けられている発熱部に集中することを回避できるので、発熱部が感熱紙の摺接によって磨耗することを抑制できる。また、凸状部の体積を増大させることなく負荷を分散させることができるので、凸状部における蓄熱量が増大せず、発熱部への通電を停止したときに発熱部および凸状部の温度を速やかに低下させることができる。さらに、凸状部の周囲を断熱層によって上方から被うことができるので、凸状部に蓄えられていた熱が感熱紙の側に伝播してしまうことを防止できる。従って、印刷のぼけなどを発生させることなく、高速印刷を行うことができる。
【手続補正書】
【提出日】平成27年9月18日(2015.9.18)
【手続補正１】
【補正対象書類名】明細書
【補正対象項目名】００４１
【補正方法】変更
【補正の内容】
【００４１】
また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂などが挙げられ、前記可塑剤ではたとえば、リン酸トリクレシル、フタル酸ジブチル、フタル酸ジオクチルなどのモノマー可塑剤の他、ビニル重合体やポリエステルのようなポリマー可塑剤が挙げられる。
【手続補正書】
【提出日】平成27年2月23日(2015.2.23)
【手続補正１】
【補正対象書類名】特許請求の範囲
【補正対象項目名】請求項２
【補正方法】変更
【補正の内容】
【請求項２】
前記水平面表示領域の誘導の配置は、人体を下方から見た場合の胸部用電極の位置に対応していることを特徴とする請求項１に記載の心電図解析レポート。
【手続補正２】
【補正対象書類名】明細書
【補正対象項目名】００２８
【補正方法】変更
【補正の内容】
【００２８】
心電計Ｉ／Ｆ１２０は、心電計１０と制御演算部１５０との間を通信可能に接続する。心電計１０は、四肢用電極部１１および胸部用電極部１２を通じて心臓からの電気信号を取得し、心電図データに変換して心電計Ｉ／Ｆ１２０に供給する。四肢用電極部１１は複数の四肢用電極を備え、胸部用電極部１２は複数の胸部用電極を備える。四肢用電極および胸部用電極は、被検者の体表の所定の位置に取り付けられる。なお、本実施形態では、心電計１０として四肢誘導と胸部誘導を含む誘導を収集できる心電計を使用することができる。以下では、標準１２誘導心電図とその波形から導出された６誘導（以下、導出１８誘導と呼ぶ）を用いる心電計を使用する場合を例示して説明する。胸部誘導における誘導の配置は、人体を下方から見た場合の胸部用電極の位置に対応している。なお、心電計１０の動作原理などの技術内容については公知であるので詳しい説明を省略する。
【手続補正３】
【補正対象書類名】明細書
【補正対象項目名】００６１
【補正方法】変更
【補正の内容】
【００６１】
なお、本実施形態では、心電図解析装置と心電計とを別体とする構成を説明した。しかしながら、本発明の心電図解析装置は、心電計に内蔵されてもよい。
【手続補正４】
【補正対象書類名】明細書
【補正対象項目名】００７２
【補正方法】変更
【補正の内容】
【００７２】
入出力Ｉ／Ｆ２２０は、四肢用電極部１１および胸部用電極部１２を通じて心臓からの電気信号を取得し、心電図データに変換して制御演算部２５０に伝達する。
【手続補正５】
【補正対象書類名】明細書
【補正対象項目名】００９６
【補正方法】変更
【補正の内容】
【００９６】
以上のとおり、実施形態において、本発明の心電図解析レポート、心電図解析装置及び心電図解析プログラムを説明した。しかしながら、本発明は、その技術思想の範囲内において当業者が適宜に追加、変形、および省略することができることはいうまでもない。
【手続補正６】
【補正対象書類名】明細書
【補正対象項目名】００９７
【補正方法】変更
【補正の内容】
【００９７】
Ａｒｃ  弧、
Ｈ  心臓の位置、
ＭＳＴ  ＳＴ表示画面、
ＬＬ  アラームの下限値、
ＵＬ  アラームの上限値、
Ｗ１  基準心電図波形、
Ｗ２  現時点の心電図波形、
１〜５  第１フィールド〜第５フィールド、
６  前頭面表示領域、
７  水平面表示領域、
８  再生オプション、
１０  心電計、
１１  四肢用電極部、
１２  胸部用電極部、
１００  心電図解析装置、
１１０，２１０  記憶部、
１２０  心電計Ｉ／Ｆ、
１３０，２３０  入力部、
１４０，２４０  出力部、
１５０，２５０  制御演算部、
２００  生体情報モニタ、
２２０  入出力ＩＦ。
【手続補正７】
【補正対象書類名】図面
【補正対象項目名】図１
【補正方法】変更
【補正の内容】
【図１】
2013208420.tif 000001
【手続補正８】
【補正対象書類名】図面
【補正対象項目名】図５
【補正方法】変更
【補正の内容】
【図５】
2013208420.tif 000002
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
触媒活性成分としてのパラジウムと、触媒担持体としての無機多孔質体と、助触媒成分としてのセリア（ＣｅＯ2）粒子とを含有し、パラジウムがセリア（ＣｅＯ２）粒子に担持されてなる構成を有する排気ガス浄化用パラジウム触媒であって、
触媒中に含有されるセリア粒子の含有量に対する、触媒中に含有されるパラジウムの含有量の質量比率（Ｐｄ／ＣｅＯ２）が０．００１４〜０．４０００であることを特徴とする排気ガス浄化用パラジウム触媒。
【請求項２】
基材と、触媒活性成分としてのパラジウム、触媒担持体としての無機多孔質体及び助触媒成分としてのセリア（ＣｅＯ2）粒子を含有する触媒層と、を備えた排気ガス浄化用パラジウム触媒であって、
前記触媒層は、パラジウムがセリア（ＣｅＯ２）粒子に担持されてなる構成を有し、
前記触媒層中に含有されるセリア粒子の含有量に対する、触媒層中に含有されるパラジウムの含有量の質量比率（Ｐｄ／ＣｅＯ２）が０．００１４〜０．４０００であることを特徴とする排気ガス浄化用パラジウム触媒。
【請求項３】
触媒活性成分としてのパラジウムは、平均粒子径が２３．０ｎｍ〜８３．０ｎｍのパラジウムであることを特徴とする請求項１又は２記載の排気ガス浄化用パラジウム触媒。
【請求項４】
助触媒成分としてのセリア（ＣｅＯ2）粒子は、ＢＥＴ比表面積が２０〜１３０ｍ2／ｇであるセリア（ＣｅＯ2）粒子であることを特徴とする請求項１〜３の何れかに記載の排気ガス浄化用パラジウム触媒。
【請求項５】
前記セリア粒子が、触媒層中に５〜８５質量％の割合で含有されることを特徴とする請求項１〜４の何れかに記載の排気ガス浄化用パラジウム触媒。
【請求項６】
前記パラジウムが、触媒層中に０．１２〜３．００質量％の割合で含有されることを特徴とする請求項１〜５の何れかに記載の排気ガス浄化用パラジウム触媒。
【請求項７】
さらにバリウムを含有することを特徴とする請求項１〜６の何れかに記載の排気ガス浄化用パラジウム触媒。
【手続補正書】
【提出日】平成26年12月8日(2014.12.8)
【手続補正１】
【補正対象書類名】明細書
【補正対象項目名】発明の名称
【補正方法】変更
【補正の内容】
【発明の名称】夾雑物を含有した溶剤及び用排水の微細浮遊物除去装置
【手続補正２】
【補正対象書類名】特許請求の範囲
【補正対象項目名】全文
【補正方法】変更
【補正の内容】
【特許請求の範囲】
【請求項１】
上面に開口部を有し、前壁に原料流入管を、後壁に液体取出管及び固形物シュートに連なる固形物取出口を設けた長方形状の槽体よりなる夾雑物を含有した排水の微細浮遊物除去装置であって、前記開口部には揺動運動を行えるようにフィルターを張設すると共に、前記原料流入管が前壁から後壁に向かって水平往復運動を行える分岐管に連なり、該分岐管より原料液体を前記フィルターに流下、供給して液体と固形物とに分離することを特徴とする夾雑物を含有した溶剤及び用排水の微細浮遊物除去装置。
【請求項２】
フィルターの前端を横設した高速回転する偏心軸に受支取付け、後端をスプリングにより弾発的に支持したことを特徴とする請求項１記載の夾雑物を含有した溶剤及び用排水の微細浮遊物除去装置。
【請求項３】
スイベルトジョイントにより原料流入管を水平往復運動を行える分岐管に接合したことを特徴とする請求項１記載の夾雑物を含有した溶剤及び用排水の微細浮遊物除去装置。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
被検者の睡眠に関連する生体情報を取得する取得手段と、
前記生体情報の取得時における前記被検者の体位を判別する判別手段と、
前記取得手段により取得された生体情報と前記判別手段で判別された体位の情報とを互いに関連付けて記憶媒体に記録する記録手段と、
前記生体情報と前記体位の情報とを前記記憶媒体から読み出して、該生体情報に基づく波形を表示するとともに、該波形と時間的に同期させて、前記体位の情報に基づき体位の種別を表すアイコンを表示する表示手段と、
を有することを特徴とする生体情報表示装置。
【請求項２】
前記生体情報は、前記被検者の心電図信号と、血中酸素飽和度を表す信号と、口、鼻における空気流量と、いびき音を表す信号と、胸部呼吸に伴う胸囲の変化を表す信号と、のうちの少なくともいずれかを含むことを特徴とする請求項１に記載の生体情報表示装置。
【請求項３】
前記判別手段は、前記被検者の体幹に装着される加速度センサを含み、所定の座標軸方向の静加速度量に基づいて前記被検者の体位を判別することを特徴とする請求項１又は２に記載の生体情報表示装置。
【請求項４】
前記判別手段は、
前記加速度センサの出力信号を増幅する増幅器と、
温度センサと、
前記温度センサの出力に応じて前記増幅器のゲインを調整する温度補正回路と、
前記増幅器の出力を閾値と比較する比較器と、
を更に含み、
前記比較器による前記増幅器の出力と前記閾値との比較の結果に応じて前記体位を判別する
ことを特徴とする請求項３に記載の生体情報表示装置。
【請求項５】
前記判別手段は、前記体位として、少なくとも、仰臥位、伏臥位、側臥位を判別することを特徴とする請求項４に記載の生体情報表示装置。
【請求項６】
前記判別手段は、前記体位として、少なくとも、仰臥位、伏臥位、右側臥位、左側臥位、立位、逆立位を判別することを特徴とする請求項４に記載の生体情報表示装置。
【請求項７】
生体情報表示装置の制御方法であって、
取得手段が、被検者の睡眠に関連する生体情報を取得するステップと、
判別手段が、前記生体情報の取得時における前記被検者の体位を判別するステップと、
記録手段が、前記取得された生体情報と前記判別された体位の情報とを互いに関連付けて記憶媒体に記録するステップと、
表示手段が、前記生体情報と前記体位の情報とを前記記憶媒体から読み出して、該生体情報に基づく波形を表示するとともに、該波形と時間的に同期させて、前記体位の情報に基づき体位の種別を表すアイコンを表示するステップと、
を有することを特徴とする生体情報表示装置の制御方法。
【手続補正２】
【補正対象書類名】明細書
【補正対象項目名】発明の名称
【補正方法】変更
【補正の内容】
【発明の名称】生体情報表示装置およびその制御方法
【手続補正３】
【補正対象書類名】明細書
【補正対象項目名】０００１
【補正方法】変更
【補正の内容】
【０００１】
本発明は生体情報表示装置およびその制御方法に関する。
【手続補正４】
【補正対象書類名】明細書
【補正対象項目名】００１０
【補正方法】変更
【補正の内容】
【００１０】
本発明の一側面によれば、被検者の睡眠に関連する生体情報を取得する取得手段と、前記生体情報の取得時における前記被検者の体位を判別する判別手段と、前記取得手段により取得された生体情報と前記判別手段で判別された体位の情報とを互いに関連付けて記憶媒体に記録する記録手段と、前記生体情報と前記体位の情報とを前記記憶媒体から読み出して、該生体情報に基づく波形を表示するとともに、該波形と時間的に同期させて、前記体位の情報に基づき体位の種別を表すアイコンを表示する表示手段とを有することを特徴とする生体情報表示装置が提供される。
【手続補正５】
【補正対象書類名】明細書
【補正対象項目名】００１１
【補正方法】変更
【補正の内容】
【００１１】
本発明の別の側面によれば、生体情報表示装置の制御方法であって、取得手段が、被検者の睡眠に関連する生体情報を取得するステップと、判別手段が、前記生体情報の取得時における前記被検者の体位を判別するステップと、記録手段が、前記取得された生体情報と前記判別された体位の情報とを互いに関連付けて記憶媒体に記録するステップと、表示手段が、前記生体情報と前記体位の情報とを前記記憶媒体から読み出して、該生体情報に基づく波形を表示するとともに、該波形と時間的に同期させて、前記体位の情報に基づき体位の種別を表すアイコンを表示するステップとを有することを特徴とする生体情報表示装置の制御方法が提供される。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
無呼吸または低呼吸の有無を確認するために測定した呼吸関連波形を表示する生体信号表示装置であって、
予め定めた時間分の呼吸関連波形のデータを取得する取得手段と、
前記取得手段が取得した呼吸関連波形のデータから、予め定めた条件を満たす正常呼吸波形の振幅を算出する算出手段と、
前記呼吸関連波形のデータを予め定められた大きさを有する表示領域に表示する際の、振幅の表示倍率を決定する決定手段と、
前記決定手段が決定した表示倍率で予め定めた時間分の呼吸関連波形のデータを前記表示領域に表示する表示手段と、を有し、
前記決定手段は、前記正常呼吸波形の振幅が、前記表示領域における振幅軸の長さの８０％〜１００％の範囲内の定められた割合で表示されるような表示倍率を決定し、
前記取得手段が取得する呼吸関連波形のデータが更新されると、前記算出手段および前記決定手段は、前記正常呼吸波形の振幅および前記表示倍率を自動的に更新し、前記表示手段は、該更新された表示倍率で、前記更新された呼吸関連波形のデータを表示することを特徴とする生体信号表示装置。
【請求項２】
ユーザから前記呼吸関連波形のデータの表示区間を連続的に変更する指示が入力されている場合、前記表示手段は、前記取得手段が取得した前記呼吸関連波形のデータを１倍の表示倍率で前記表示領域に表示し、前記指示が入力されなくなると、前記取得手段が取得した前記呼吸関連波形のデータを前記決定手段が決定した表示倍率で前記表示領域に表示することを特徴とする請求項１記載の生体信号表示装置。
【請求項３】
前記表示領域が複数存在する場合、
前記算出手段は、前記表示領域に表示する呼吸関連波形の区間ごとに前記振幅を算出し、
前記決定手段は、前記表示領域に表示する呼吸関連波形の区間ごとに前記表示倍率を算出し、
前記表示手段は、前記表示領域に表示する呼吸関連波形の区間ごとの前記表示倍率で前記呼吸関連波形のデータを表示する、
ことを特徴とする請求項１または請求項２記載の生体信号表示装置。
【請求項４】
前記呼吸関連波形が、口呼吸波形、鼻呼吸波形、胸部および／または腹部の呼吸努力波形、および胸骨上窩波形の少なくとも１つであることを特徴とする請求項１から請求項３のいずれか１項に記載の生体信号表示装置。
【請求項５】
無呼吸または低呼吸の有無を確認するために測定した呼吸関連波形を表示する生体信号表示装置の制御方法であって、
前記生体信号表示装置の算出手段が、前記生体信号表示装置の取得手段が取得した、予め定めた時間分の呼吸関連波形のデータから、予め定めた条件を満たす正常呼吸波形の振幅を算出する算出ステップと、
前記生体信号表示装置の決定手段が、前記呼吸関連波形のデータを予め定められた大きさを有する表示領域に表示する際の、振幅の表示倍率を決定する決定ステップと、
前記生体信号表示装置の表示手段が、前記決定手段が決定した表示倍率で予め定めた時間分の呼吸関連波形のデータを前記表示領域に表示する表示ステップと、を有し、
前記決定ステップでは、前記正常呼吸波形の振幅が、前記表示領域における振幅軸の長さの８０％〜１００％の範囲内の定められた割合で表示されるような表示倍率を決定し、
前記取得手段が取得する呼吸関連波形のデータが更新されると、前記算出手段および前記決定手段は、前記算出ステップおよび前記決定ステップを自動的に実行し、前記表示手段は、該更新された表示倍率で、前記表示ステップを実行することを特徴とする生体信号表示装置の制御方法。
【請求項６】
コンピュータを、請求項１乃至請求項４の何れか１項に記載の生体信号表示装置の各手段として機能させるためのプログラム。
【手続補正２】
【補正対象書類名】明細書
【補正対象項目名】００１５
【補正方法】変更
【補正の内容】
【００１５】
上述の目的は、無呼吸または低呼吸の有無を確認するために測定した呼吸関連波形を表示する生体信号表示装置であって、予め定めた時間分の呼吸関連波形のデータを取得する取得手段と、取得手段が取得した呼吸関連波形のデータから、予め定めた条件を満たす正常呼吸波形の振幅を算出する算出手段と、呼吸関連波形のデータを予め定められた大きさを有する表示領域に表示する際の、振幅の表示倍率を決定する決定手段と、決定手段が決定した表示倍率で予め定めた時間分の呼吸関連波形のデータを表示領域に表示する表示手段と、を有し、決定手段は、正常呼吸波形の振幅が、表示領域における振幅軸の長さの８０％〜１００％の範囲内の定められた割合で表示されるような表示倍率を決定し、取得手段が取得する呼吸関連波形のデータが更新されると、算出手段および決定手段は、正常呼吸波形の振幅および表示倍率を自動的に更新し、表示手段は、更新された表示倍率で、更新された呼吸関連波形のデータを表示することを特徴とする生体信号表示装置によって達成される。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
各プレーヤのプレーヤ端末から送信される操作入力に従って、各プレーヤに係るゲーム進行を非同期に制御するサーバシステムであって、
各プレーヤそれぞれのパラメータを管理するパラメータ管理部と、
各プレーヤそれぞれについて、当該プレーヤに関係する関係プレーヤを記憶する関係プレーヤ記憶部と、
第１のプレーヤの前記パラメータを変更する処理を発動させる所与の発動条件を満たしたことを検出する発動検出部と、
前記発動検出部の検出がなされた場合に、前記第１のプレーヤの前記パラメータを変更するパラメータ変更制御部と、
前記発動検出部の検出がなされた後、前記第１のプレーヤの第１の関係プレーヤがログインした際に、前記第１の関係プレーヤの前記パラメータを変更する波及制御を実行する波及制御部と、
前記発動検出部の検出がなされてから、前記第１の関係プレーヤがログインするまでの時間経過に応じて、前記波及制御での前記パラメータの変更幅を調整する変更幅調整部と、
を備えたサーバシステム。
【請求項２】
前記発動検出部は、前記第１のプレーヤの前記パラメータを変更させる所与のアイテムの使用或いは所与の動作の実行の指示操作入力がなされたことを前記発動条件として検出する、
請求項１に記載のサーバシステム。
【請求項３】
前記発動検出部は、前記第１のプレーヤに係るゲーム進行が所与の条件を満たしたことを前記発動条件として検出する、
請求項１に記載のサーバシステム。
【請求項４】
前記変更幅調整部は、前記波及制御での前記パラメータの変更幅を、前記パラメータ変更制御部による前記パラメータの変更幅よりも小さい変更幅となるように調整する、
請求項１〜３の何れか一項に記載のサーバシステム。
【請求項５】
各プレーヤそれぞれについて、当該プレーヤと当該プレーヤの関係プレーヤとの友好度を記憶する友好度記憶部を更に備え、
前記変更幅調整部は、前記波及制御での前記パラメータの変更幅を、前記第１のプレーヤと前記第１の関係プレーヤとの友好度を用いて変更する、
請求項１〜４の何れか一項に記載のサーバシステム。
【請求項６】
前記変更幅調整部は、前記第１のプレーヤの関係プレーヤの人数を用いて、前記第１の関係プレーヤの前記パラメータの変更幅を変更する、
請求項１〜４の何れか一項に記載のサーバシステム。
【請求項７】
前記波及制御部は、前記発動検出部の検出がなされた場合に、前記第１の関係プレーヤの前記パラメータを所与の期間一時的に変更する時限制御部を有する、
請求項１〜４の何れか一項に記載のサーバシステム。
【請求項８】
各プレーヤそれぞれについて、当該プレーヤと当該プレーヤの関係プレーヤとの友好度を記憶する友好度記憶部を更に備え、
前記時限制御部は、前記第１の関係プレーヤの前記パラメータを変更する時限を、前記第１のプレーヤとの友好度を用いて変更する、
請求項７に記載のサーバシステム。
【請求項９】
前記第１のプレーヤの関係プレーヤのうち、前記波及制御部による波及制御の対象とする関係プレーヤ（以下「波及先プレーヤ」という。）を選択する波及先選択部を更に備え、
前記波及制御部は、前記波及先選択部により選択された波及先プレーヤの前記パラメータを対象に前記波及制御を実行する、
請求項１〜４の何れか一項に記載のサーバシステム。
【請求項１０】
各プレーヤそれぞれについて、当該プレーヤと当該プレーヤの関係プレーヤとの友好度を記憶する友好度記憶部を更に備え、
前記波及先選択部は、前記第１のプレーヤと当該関係プレーヤとの友好度を用いて、波及先プレーヤを選択する、
請求項９に記載のサーバシステム。
【請求項１１】
各プレーヤのプレーヤ端末から送信される操作入力に従って、各プレーヤに係るゲーム進行を非同期に制御するコンピュータシステムの制御方法であって、
各プレーヤそれぞれのパラメータを管理することと、
各プレーヤそれぞれについて、当該プレーヤに関係する関係プレーヤを記憶することと、
第１のプレーヤの前記パラメータを変更する処理を発動させる所与の発動条件を満たした場合に、前記第１のプレーヤの前記パラメータを変更することと、
前記発動条件を満たした後に前記第１のプレーヤの第１の関係プレーヤがログインした際に、前記第１の関係プレーヤの前記パラメータを変更する波及制御を実行することと、
前記発動条件を満たしてから、前記第１の関係プレーヤがログインするまでの時間経過に応じて、前記波及制御での前記パラメータの変更幅を調整することと、
を含む制御方法。
【手続補正２】
【補正対象書類名】明細書
【補正対象項目名】発明の名称
【補正方法】変更
【補正の内容】
【発明の名称】サーバシステムおよび制御方法
【手続補正３】
【補正対象書類名】明細書
【補正対象項目名】０００１
【補正方法】変更
【補正の内容】
【０００１】
本発明は、ゲームに係る各プレーヤのパラメータを管理し、各プレーヤのプレーヤ端末と通信を行ってゲームを進行制御するサーバシステム等に関する。
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
ミシンの外殻を形成するベッドと、該ベッドの上方に該ベッドと隣接して設けられるアームと、該アームの左端に設けられるヘッドを備えたオーバーロックミシンにおいて、該ベッドまたは該アームの右側面に持ち手部が設けられていることを特徴とする、オーバーロックミシン。
【請求項２】
前記持ち手部は前記ベッドまたは前記アームに溝状に形成されていることを特徴とする、請求項１に記載のオーバーロックミシン。
【請求項３】
前記持ち手部は前記ベッドまたは前記アームに外付けされて設けられていることを特徴とする、請求項１に記載のオーバーロックミシン。
【請求項４】
前記持ち手部は中途で上方に屈曲して伸びる鉤状に形成されていることを特徴とする、請求項２に記載のオーバーロックミシン。
【請求項５】
前記ヘッドの下方に押さえ台が設けられ、前期持ち手部は該押さえ台とほぼ等しい高さに配置されていることを特徴とする、請求項１〜４のいずれか一項に記載のオーバーロックミシン。
【請求項６】
前記ベッドの右側面から突出する主軸の一端にダイレクト駆動モータが連結されていることを特徴とする、請求項５に記載のオーバーロックミシン。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
逆転写酵素を含む反応液と、前記反応液とは比重が異なり、前記反応液とは混和しない液体とが充填され、前記反応液が移動する流路を含む反応容器が挿入される挿入口を有する装着部と、
前記装着部に前記反応容器が装着された場合に、前記流路の第１領域を加熱する第１加熱部と、
前記装着部に前記反応容器が装着された場合に、前記第１領域よりも前記挿入口に近い前記流路の第２領域を加熱する第２加熱部と、
前記装着部、前記第１加熱部及び前記第２加熱部の配置を、第１の配置と、第２の配置との間で切換える駆動機構と、
前記第１加熱部、前記第２加熱部、及び前記駆動機構を制御する制御部と、
を含み、
前記第１の配置は、前記装着部に前記反応容器が装着された場合に、前記第１領域が重力の作用する方向における前記流路の最下部に位置する配置であり、
前記第２の配置は、前記装着部に前記反応容器が装着された場合に、前記第２領域が重力の作用する方向における前記流路の最下部に位置する配置であり、
前記制御部は、
前記第１加熱部の温度を、前記逆転写酵素が活性を有する温度に制御し、前記第２加熱部の温度を、前記逆転写酵素が失活しない温度に制御する第１処理を行う、熱サイクル装置。
【請求項２】
請求項１に記載の熱サイクル装置において、
前記第１処理の後に、前記装着部、前記第１加熱部及び前記第２加熱部の配置が前記第２の配置になるように前記駆動機構を制御し、前記第２加熱部の温度を、前記逆転写酵素が失活する温度に制御する第２処理を行う、熱サイクル装置。
【請求項３】
請求項２に記載の熱サイクル装置において、
前記制御部は、
前記第１処理の後で前記第２処理の前に、前記装着部、前記第１加熱部及び前記第２加熱部の配置が前記第１の配置になるように前記駆動機構を制御し、前記第１加熱部の温度
を、前記逆転写酵素が活性を有する温度に制御し、前記第２加熱部の温度を、前記逆転写酵素が失活する温度に制御する第３処理を行う、熱サイクル装置。
【請求項４】
請求項２又は３に記載の熱サイクル装置において、
前記制御部は、
前記第２処理において、前記第１加熱部の温度を、ポリメラーゼ連鎖反応におけるアニーリング及び伸長温度に制御する、熱サイクル装置。
【請求項５】
請求項４に記載の熱サイクル装置において、
前記制御部は、
前記第２処理の後に、前記装着部、前記第１加熱部及び前記第２加熱部の配置が前記第１の配置になるように前記駆動機構を制御する、熱サイクル装置。
【請求項６】
請求項４又は５に記載の熱サイクル装置において、
前記逆転写酵素が活性を有する温度は、ポリメラーゼ連鎖反応における熱変性温度である、熱サイクル装置。
【請求項７】
熱サイクル装置の制御方法であって、
前記熱サイクル装置は、
逆転写酵素を含む反応液と、前記反応液よりも比重が小さく、前記反応液とは混和しない液体とが充填され、対向する内壁に前記反応液が近接して移動する流路を含む反応容器が挿入される挿入口を有する装着部と、
前記装着部に前記反応容器が装着された場合に、前記流路の第１領域を加熱する第１加熱部と、
前記装着部に前記反応容器が装着された場合に、前記第１領域よりも前記挿入口に近い前記流路の第２領域を加熱する第２加熱部と、
前記装着部、前記第１加熱部及び前記第２加熱部の配置を、第１の配置と、第２の配置との間で切換える駆動機構と、
を含み、
前記第１の配置は、前記装着部に前記反応容器が装着された場合に、前記第１領域が重力の作用する方向における前記流路の最下部に位置する配置であり、
前記第２の配置は、前記装着部に前記反応容器が装着された場合に、前記第２領域が重力の作用する方向における前記流路の最下部に位置する配置であり、
前記制御方法は、
前記第１加熱部の温度を、前記逆転写酵素が活性を有する温度に制御することと、
前記第２加熱部の温度を、前記逆転写酵素が失活しない温度に制御することと、
を含む、熱サイクル装置の制御方法。
【請求項８】
逆転写酵素を含む反応液と、前記反応液が移動する流路を含む反応容器が挿入可能な装着部と、
前記装着部に前記反応容器が装着された場合に、前記流路の第１領域を加熱する第１加熱部と、
前記装着部に前記反応容器が装着された場合に、前記第１領域よりも前記挿入口に近い前記流路の第２領域を加熱する第２加熱部と、
前記装着部、前記第１加熱部及び前記第２加熱部の配置を、第１の配置と、第２の配置との間で切換える駆動機構と、
前記第１加熱部、前記第２加熱部、及び前記駆動機構を制御する制御部と、
を含み、
前記第１の配置は、前記装着部に前記反応容器が装着された場合に、前記第１領域が重力の作用する方向における前記流路の最下部に位置する配置であり、
前記第２の配置は、前記装着部に前記反応容器が装着された場合に、前記第２領域が重力の作用する方向における前記流路の最下部に位置する配置であり、
前記制御部は、
前記第１加熱部の温度を、前記逆転写酵素が活性を有する温度に制御し、前記第２加熱部の温度を、前記逆転写酵素が失活しない温度に制御する第１処理と、
前記第１処理の後に、前記装着部、前記第１加熱部及び前記第２加熱部の配置が前記第２の配置になるように前記駆動機構を制御し、前記第２加熱部の温度を、前記逆転写酵素が失活する温度に制御する第２処理と、を行う、熱サイクル装置。
【手続補正２】
【補正対象書類名】明細書
【補正対象項目名】００７６
【補正方法】変更
【補正の内容】
【００７６】
ステップＳ１０６の後に、制御部４０は、装着部１５、第１加熱部２１及び第２加熱部２２の配置が第２の配置になるように駆動機構３０を制御し、かつ、第２加熱部２２の温度を、逆転写酵素が失活する温度（第３温度）に制御する第２処理を行なってもよい。
【手続補正３】
【補正対象書類名】明細書
【補正対象項目名】００８４
【補正方法】変更
【補正の内容】
【００８４】
逆転写酵素が失活する温度（第３温度）は、ポリメラーゼ連鎖反応（ＰＣＲ）における熱変性温度であってもよい。すなわち、第３温度は、逆転写酵素が失活する温度であり、かつ、ＰＣＲにおける熱変性温度となる温度であってもよい。
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
反応液と、前記反応液とは比重が異なり、前記反応液とは混和しない液体とが充填され、前記反応液が移動する流路を含む反応容器を装着する装着部と、
前記装着部に前記反応容器が装着された場合に、前記流路の第１領域を加熱する第１加熱部と、
前記装着部に前記反応容器が装着された場合に、前記第１領域とは異なる前記流路の第２領域を加熱する第２加熱部と、
前記装着部、前記第１加熱部及び前記第２加熱部の配置を、前記装着部に前記反応容器を装着した場合に、重力の作用する方向における前記流路の最下点の位置が前記第１領域内となる第１の配置と、重力の作用する方向における前記流路の最下点の位置が前記第２領域内となる第２の配置との間で切換える駆動機構と、
を含み、
前記第１加熱部及び前記第２加熱部の少なくとも一方は、温度の異なる複数のモードを有する、熱サイクル装置。
【請求項２】
請求項１に記載の熱サイクル装置において、
前記第１加熱部及び前記第２加熱部を制御する制御部をさらに含み、
前記制御部は、
前記第１加熱部を第１温度、及び前記第１温度とは異なる第２温度に制御し、前記第２加熱部を前記第１温度及び前記第２温度とは異なる第３温度に制御する、熱サイクル装置。
【請求項３】
請求項２に記載の熱サイクル装置において、
前記制御部はさらに、前記駆動機構を制御し、
前記第１加熱部を前記第１温度に制御し、前記装着部、前記第１加熱部及び前記第２加熱部の配置が前記第１の配置で第１時間を経過した場合に、前記第１加熱部を前記第１温度よりも高い前記第２温度に制御し、前記第２加熱部を前記第２温度よりも高い前記第３温度に制御し、前記装着部、前記第１加熱部及び前記第２加熱部の配置を、前記第１の配置から前記第２の配置へと切換えるように前記駆動機構を制御する第１処理と、
前記第１処理の後に、前記装着部、前記第１加熱部及び前記第２加熱部の配置が前記第
２の配置で第２時間を経過させる第２処理と、
前記第２処理の後に、前記装着部、前記第１加熱部及び前記第２加熱部の配置が前記第２の配置で第３時間を経過した場合に、前記装着部、前記第１加熱部及び前記第２加熱部の配置を、前記第２の配置から前記第１の配置へと切換えるように前記駆動機構を制御する第３処理と、
を行う、熱サイクル装置。
【請求項４】
請求項３に記載の熱サイクル装置において、
前記制御部は、
前記第３処理の後に、前記装着部、前記第１加熱部及び前記第２加熱部の配置が前記第１の配置で第４時間を経過した場合に、前記装着部、前記第１加熱部及び前記第２加熱部の配置を、前記第１の配置から前記第２の配置へと切換えるように前記駆動機構を制御する第４処理と、前記第３処理とを所定回数繰り返して行う、熱サイクル装置。
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
ホットスタートＰＣＲ酵素を含む反応液と、前記反応液とは比重が異なり、前記反応液とは混和しない液体とが充填され、前記反応液が移動する流路を含む反応容器を装着する装着部と、
前記装着部に前記反応容器が装着された場合に、前記流路の第１領域を加熱する第１加熱部と、
前記装着部に前記反応容器が装着された場合に、前記第１領域とは異なる前記流路の第２領域を加熱する第２加熱部と、
前記装着部、前記第１加熱部及び前記第２加熱部の配置を、前記装着部に前記反応容器を装着した場合に、重力の作用する方向における前記流路の最下点の位置が前記第１領域内となる第１の配置と、重力の作用する方向における前記流路の最下点の位置が前記第２領域内となる第２の配置との間で切換える駆動機構と、
前記駆動機構、前記第１加熱部及び前記第２加熱部を制御する制御部と、
を含み、
前記制御部は、
前記第１加熱部を第１温度に制御する第１処理と、
前記第２加熱部を前記第１温度よりも高い第２温度に制御する第２処理と、
前記第２処理の後に、前記装着部、前記第１加熱部及び前記第２加熱部の配置が前記第２の配置で第１時間を経過させる第３処理と、
前記第１処理及び前記第３処理の後に、前記装着部、前記第１加熱部及び前記第２加熱部の配置が前記第２の配置で第２時間を経過した場合に、前記装着部、前記第１加熱部及び前記第２加熱部の配置を、前記第２の配置から前記第１の配置へと切換えるように前記駆動機構を制御する第４処理と、
を行う、熱サイクル装置。
【請求項２】
請求項１に記載の熱サイクル装置において、
前記制御部は、
前記第４処理の後に、前記装着部、前記第１加熱部及び前記第２加熱部の配置が前記第１の配置で第３時間を経過した場合に、前記装着部、前記第１加熱部及び前記第２加熱部の配置を、前記第１の配置から前記第２の配置へと切換えるように前記駆動機構を制御す
る第５処理と、前記第４処理とを所定回数繰り返して行う、熱サイクル装置。
【請求項３】
請求項１又は２に記載の熱サイクル装置において、
前記制御部は、さらに、
前記第１加熱部を前記第１温度よりも低い第３温度に制御し、前記装着部、前記第１加熱部及び前記第２加熱部の配置が前記第１の配置で第４時間を経過させる第６処理と、
前記第６処理及び前記第２処理の後に、前記装着部、前記第１加熱部及び前記第２加熱部の配置を、前記第１の配置から前記第２の配置へと切換えるように前記駆動機構を制御する第７処理と、
を行い、
前記第７処理の後に、前記第３処理を行う、熱サイクル装置。
【請求項４】
熱サイクル装置の制御方法であって、
前記熱サイクル装置は、
ホットスタートＰＣＲ酵素を含む反応液と、前記反応液とは比重が異なり、前記反応液とは混和しない液体とが充填され、前記反応液が移動する流路を含む反応容器を装着する装着部と、
前記装着部に前記反応容器が装着された場合に、前記流路の第１領域を加熱する第１加熱部と、
前記装着部に前記反応容器が装着された場合に、前記第１領域とは異なる前記流路の第２領域を加熱する第２加熱部と、
前記装着部、前記第１加熱部及び前記第２加熱部の配置を、前記装着部に前記反応容器を装着した場合に、重力の作用する方向における前記流路の最下点の位置が前記第１領域内となる第１の配置と、重力の作用する方向における前記流路の最下点の位置が前記第２領域内となる第２の配置との間で切換える駆動機構と、
を含み、
前記制御方法は、
前記第１加熱部を第１温度に制御する第１処理を行うことと、
前記第２加熱部を前記第１温度よりも高い第２温度に制御する第２処理を行うことと、
前記装着部、前記第１加熱部及び前記第２加熱部の配置が前記第２の配置で第１時間を経過させる第３処理を行うことと、
前記第３処理の後に、前記装着部、前記第１加熱部及び前記第２加熱部の配置が前記第２の配置で第２時間を経過した場合に、前記装着部、前記第１加熱部及び前記第２加熱部の配置を、前記第２の配置から前記第１の配置へと切換えるように前記駆動機構を制御する第４処理を行うことと、
を含む、熱サイクル装置の制御方法。
【手続補正２】
【補正対象書類名】明細書
【補正対象項目名】００９８
【補正方法】変更
【補正の内容】
【００９８】
図１３は、第２実施例における、熱サイクル処理のサイクル数と測定される輝度との関係を示すグラフである。図１３の横軸は熱サイクル処理のサイクル数、縦軸は輝度の相対値を表す。
【手続補正３】
【補正対象書類名】明細書
【補正対象項目名】００９９
【補正方法】変更
【補正の内容】
【００９９】
図１３に示されるように、サンプルＥ〜サンプルＨのいずれも、熱サイクル処理のサイクル数が２０回〜３０回程度となる辺りから輝度が大きく上昇していることが分かる。これによって、ＲＮＡを鋳型として逆転写されたｃＤＮＡが増幅されていることが分かる。サンプルＨは内在性コントロールの実験であり、サンプルＨで輝度が上昇していることから、ヒトサンプル由来のＤＮＡ（ｃＤＮＡ）が増幅されたことが確認できた。さらに、サンプルＥ〜サンプルＨでｃＤＮＡが増幅されたことから、ヒトサンプルにはＩｎｆＡ、ＳＷ  ＩｎｆＡ、ＳＷ  Ｈ１の全てのＲＮＡが含まれていたことがわかった。この結果は、イムノクロマトグラフィーの結果とも合致している。したがって、本実施形態に係る熱サイクル装置１を用いて、ホットスタートを含んだ１ｓｔｅｐ ＲＴ−ＰＣＲを行うことができることが確認された。